(57)【特許請求の範囲】
【請求項１】
眼球の切開創から眼内レンズを挿入する挿入筒と該挿入筒の基端に開閉可能な２つの半割部材で構成される内部領域を持ち該領域内に前記眼内レンズを置くレンズ変形部と，前記レンズ変形部から前記眼内レンズを押し出すための押出手段と，を有する眼内レンズ挿入器具と、該眼内レンズ挿入器具の少なくとも一部を固定保持するためのホルダと、を備える眼内レンズ挿入システムにおいて、
前記ホルダに設けられる規制部材であって，前記眼内レンズ挿入器具が前記ホルダに固定保持された状態で前記半割部材の閉じる方向への動きを規制するとともに前記領域内に置かれる前記眼内レンズに対して応力を掛けない状態で維持させる規制部材と、
前記眼内レンズ挿入器具に設けられ該規制部材による前記規制がかけられた状態で前記半割部材を閉じあう方向に付勢するための付勢手段と、
を有し、
前記ホルダを前記眼内レンズ挿入器具から取り外した際に前記規制部材による規制が解除されるとともに前記付勢手段による付勢力によって前記眼内レンズに応力が掛けられる状態まで前記半割部材を閉じさせる
ことを特徴とする眼内レンズ挿入システム。
【請求項２】
請求項１の眼内レンズ挿入システムにおいて、前記ホルダは前記眼内レンズ挿入器具全体を固定保持するための部材であり、前記規制部材は前記眼内レンズ挿入器具が前記ホルダに固定された状態で前記２つの半割部材によって形成される開口から前記領域内に向けて延びる柱状の部材であって，その先端に前記眼内レンズを応力を掛けない状態で保管するレンズ保管部を備えることを特徴とする眼内レンズ挿入システム。
【請求項３】
請求項１又は２の眼内レンズ挿入システムにおいて、
前記付勢手段は，前記半割部材に外側から当接する当接部と、該当接部を支える基部と、を備え、
前記当接部又は前記基部の少なくともいずれかに弾性力を持たせると共に，
前記規制部材が前記前記眼内レンズ挿入器具から取り外され，前記半割部材が開いた自然状態で前記当接部から前記半割部材に対し，該半割部材を閉じさせる方向に付勢力が掛かることを特徴とする眼内レンズ挿入システム。
【請求項４】
請求項３の眼内レンズ挿入システムにおいて、前記基部は，前記挿入器具本体の外壁に配置されると共に，前記レンズ変形部の外壁の稜線よりも前記押出軸よりに設けられることを特徴とする眼内レンズ挿入システム。
【発明の詳細な説明】
【技術分野】
【０００１】
本発明は、眼内レンズを眼内に挿入する眼内レンズ挿入システムに関する。
【背景技術】
【０００２】
従来、白内障の手術方法の一つとして水晶体を摘出した後、水晶体の代わりとして眼内レンズを挿入する手法が一般的に用いられている。眼内レンズを挿入するには、はじめに眼球に眼内レンズを挿入するための切開創を設け、この切開創より内部の白濁した水晶体を超音波白内障手術装置等にて破砕して吸引しておく。次に、切開創から水晶体があった場所に眼内レンズを挿入する。
【０００３】
このようにして眼内レンズを挿入する際には、インジェクタと呼ばれる眼内レンズ挿入器具を使用する方法が一般的である。インジェクタとしては、眼内レンズを載置するためのカートリッジをレンズパッケージ（レンズケース）として用い、眼内レンズを眼内へ押し出すためのハンドピースとカートリッジが予め一体としたものが知られている。また、このようなインジェクタを保管、運搬等し易いように、ホルダ（包装材）に固定保持するインジェクタシステム（眼内レンズ挿入システム）が知られている（例えば、特許文献１参照）。このような特許文献１に開示されるようなシステムでは、運搬時に眼内レンズの破損等を防止するために、ホルダに設けた規制部材をカートリッジ内に挿入し、応力の掛らない状態で眼内レンズの移動を規制している。そして、このようなインジェクタを使用する際には、インジェクタをホルダから取り外すことにより、カートリッジ内に挿入された規制部材を取り外し、眼内レンズを移動可能とする。
【特許文献１】特開２００７−８９９１５号公報
【発明の開示】
【発明が解決しようとする課題】
【０００４】
特許文献１のようなシステムにおいては、保管、運搬等においては眼内レンズを応力を掛けない状態でその移動を規制するものであるが、手術時においてホルダからインジェクタを取り外すことにより眼内レンズの移動の規制を解除し、その後眼内レンズを折り曲げた状態でインジェクタにセットすることとなる。このため、この種のシステムにおいては、移動規制の解除後から眼内レンズを折り曲げてセットするまでの間に、眼内レンズの脱落、眼内レンズのセット予定位置からの移動を防ぐようにしなければならない。
【０００５】
本発明は、上記従来技術を鑑み、インジェクタが保管、運搬されている状態から使用可能とするまでの間に眼内レンズの意図しない挙動を抑制し、好適にインジェクタを取り扱うことができる眼内レンズ挿入システムを提供することを技術課題とする。
【課題を解決するための手段】
【０００６】
上記課題を解決するために、本発明は以下のような構成を備えることを特徴とする。
（１）  眼球の切開創から眼内レンズを挿入する挿入筒と該挿入筒の基端に開閉可能な２つの半割部材で構成される内部領域を持ち該領域内に前記眼内レンズを置くレンズ変形部と，前記レンズ変形部から前記眼内レンズを押し出すための押出手段と，を有する眼内レンズ挿入器具と、該眼内レンズ挿入器具の少なくとも一部を固定保持するためのホルダと、を備える眼内レンズ挿入システムにおいて、前記ホルダに設けられる規制部材であって，前記眼内レンズ挿入器具が前記ホルダに固定保持された状態で前記半割部材の閉じる方向への動きを規制するとともに前記領域内に置かれる前記眼内レンズに対して応力を掛けない状態で維持させる規制部材と、前記眼内レンズ挿入器具に設けられ該規制部材による前記規制がかけられた状態で前記半割部材を閉じあう方向に付勢するための付勢手段と、を有し、前記ホルダを前記眼内レンズ挿入器具から取り外した際に前記規制部材による規制が解除されるとともに前記付勢手段による付勢力によって前記眼内レンズに応力が掛けられる状態まで前記半割部材を閉じさせることを特徴とする。
（２）  （１）の眼内レンズ挿入システムにおいて、前記ホルダは前記眼内レンズ挿入器具全体を固定保持するための部材であり、前記規制部材は前記眼内レンズ挿入器具が前記ホルダに固定された状態で前記２つの半割部材によって形成される開口から前記領域内に向けて延びる柱状の部材であって，その先端に前記眼内レンズを応力を掛けない状態で保管するレンズ保管部を備えることを特徴とする。
（３）  （１）又は（２）の眼内レンズ挿入システムにおいて、前記付勢手段は，前記半割部材に外側から当接する当接部と、該当接部を支える基部と、を備え、前記当接部又は前記基部の少なくともいずれかに弾性力を持たせると共に，前記規制部材が前記前記眼内レンズ挿入器具から取り外され，前記半割部材が開いた自然状態で前記当接部から前記半割部材に対し，該半割部材を閉じさせる方向に付勢力が掛かることを特徴とする。
（４）  （３）の眼内レンズ挿入システムにおいて、前記基部は，前記挿入器具本体の外壁に配置されると共に，前記レンズ変形部の外壁の稜線よりも前記押出軸よりに設けられることを特徴とする。
【発明の効果】
【０００７】
本発明によれば、インジェクタが保管、運搬されている状態から使用可能とするまでの間に眼内レンズの意図しない挙動を抑制し、好適にインジェクタを取り扱うことができる。
【発明を実施するための最良の形態】
【０００８】
以下、本発明の実施形態について図面に基づいて説明する。図１は、本実施形態に係る眼内レンズ挿入システムの外観概略図である。図１（ａ）は、インジェクタ５０をホルダ３０に固定保持した状態の図である。
【０００９】
１００は眼内レンズ挿入システムである。眼内レンズ挿入システム１００は、大別して変形可能な眼内レンズ１（図２参照）を眼内に挿入するための眼内レンズ挿入器具５０（以下、インジェクタと記す）と、インジェクタ５０を固定保持するためのホルダ３０とからなる。インジェクタ５０は、使用の際に内部に折り曲げ可能な眼内レンズ１を載置し、眼内レンズ１を変形（折り曲げ）させて眼内に挿入するためのレンズ変形部１０（以下、カートリッジと記す）と、先端にカートリッジ１０を装着し、眼内レンズ１を送出するための挿入器具本体２０（以下、ハンドピースと記す）からなる。ホルダ３０はインジェクタ５０全体を固定し包装する。使用時には、ホルダ３０からインジェクタ５０を取り外し、インジェクタ５０より眼内レンズを送出する。なお、インジェクタ５０は、樹脂等にて成型され、一度の使用で廃棄する使い捨てタイプ（ディスポーザブルタイプ）である。詳細は後述するが、カートリッジ１０に当接する付勢部材（付勢手段）６０は、基部６１をハンドピース２０の外周に固定されている。
【００１０】
図１（ｂ）は、ホルダ３０の斜視図である。ベース部３１の周囲には、保護壁３２が設けられ、ホルダ３０に保持されるインジェクタ５０を四方から保護する役割を持っている。また、ベース部３１にはインジェクタ５０を取り付け、固定するための取付手段となる基台３３ａ、３３ｂがベース部３１から上方にのびるように設けられている。基台３３ａはハンドピース２０の筒部を両側から挟持するように設けられ、基台３３ｂは押出棒（押出軸）２５を下方から支えるように設けられる。
【００１１】
基台３３ａは２つの部材が対面するように配置され、部材の上方にハンドピース２０の筒部が嵌め込まれるような円弧上の座繰りが設けられている。基台３３ｂの上端には、押出棒２５を収めるような円弧上の座繰りが設けられている。ホルダ３０には、眼内レンズ１を載置し、保持する保持台（規制部材）３４が設けられる。保持台３４の横幅は、光学部２の径よりも短くされており、また、保持台３４は、ホルダ３０からインジェクタ５０を取り外す方向に所定量だけ柱状に延びている。また、保持台３４の上端には、眼内レンズ１の光学部２を載置するための窪み３５が設けられている。また、図示するように、窪み３５によって前後に形成される側壁３４ａは、眼内レンズ１の光学部２の径及び円周に合わせた曲面を有しており、窪み３５に眼内レンズ１（光学部２）を載置した際に、側壁３４ａにより光学部２を前後方向から応力を掛けないで挟持する（若干の隙間を有する）構成となっている。また、保持台３４は、窪み３５に眼内レンズ１を収めることで、眼内レンズ１の水平方向の移動を規制する部材であると共に、眼内レンズ１を保管するレンズ保管部を兼ねることとなる。なお、ホルダ３０は、樹脂からの一体成型でつくられ、インジェクタ５０同様、使い捨てとされる。
図２は、カートリッジ１０に載置される眼内レンズ１の構成を説明するための概略構成図である。インジェクタ５０を用いて眼内に挿入される眼内レンズ１は、所定の屈折力を有する光学部２と、光学部２を眼内で支持するためのループ状の支持部３からなる。眼内レンズ１の光学部２は、折り曲げ（変形）可能な材料から形成されており、例えば、ＨＥＭＡ（ヒドロキシエチルメタクリレート）等の単体や、アクリル酸エステルとメタクリル酸エステルの複合材料などを用いることができる。
【００１２】
図３は本実施形態のレンズ変形部であるカートリッジ１０の概略構成を示す斜視図である。カートリッジ１０は、図示するように、先端に向かうにしたがって、その径が徐々に小さく（細く）なるテーパ形状を有する挿入部（挿入筒）１１と、眼内レンズ１を設置する載置部１２とが一体的に形成されている。
【００１３】
眼球に設けられた切開創に挿入する挿入部１１は中空の筒形状となっており、折り畳まれた眼内レンズ１が、この中空部分を通して外部に送り出されるようになっている。また、挿入部１１の基端側に設けられた載置部１２は、２つの半割部材１２ａ，１２ｂから形成されており、半割部材１２ａ及び１２ｂの下縁同士がヒンジ部１３によって連結され、開閉可能となっている。半割部材１２ａは挿入部１１の基端に一体的に接合され、半割部材１２ｂはヒンジ部１３によって半割部材１２ａに対して開閉可能とされている。半割部材１２ａ、１２ｂの外壁（ヒンジ部１２により一体とされる面）は、曲面を有している。なお、半割部材１２ｂの外壁には、後述する付勢部材６０が当接される。なお、半割部材１２ａ，１２ｂによって形成される内部の領域に眼内レンズ１が置かれる（位置する）こととなる。１４ａ及び１４ｂは半割部材１２ａ，１２ｂに各々設けられた載置台（面）であり、眼内レンズ１を載せる載置面の形状（壁面形状）は、眼内レンズ１を折り曲げる方向に沿った曲面を有している。なお、半割部材１２ａの側壁に設けられたウイング１８を後述するハンドピース２０の装着部に嵌合させることにより、カートリッジ１０がハンドピース２０に固定される。
【００１４】
また、半割部材１２ａ及び１２ｂを閉じ合わせると、載置台の壁面形状（載置面形状）が変形し、挿入部１１の基端側開口形状（半円形状）と略一致するようになっている。１５ａ及び１５ｂは、半割部材１２ａ、１２ｂの各々の上部に設けられたカバーであり、半割部材１２ａと半割部材１２ｂとが閉じ合ったときに、載置台１４ａ及び載置台１４ｂの上方を覆うように形成されている。なお、カバー１５ｂの端部には、カバー１５ｂの長手方向に沿って載置台の上方から下方に向かって延びるように形成された凸部１６が設けてある。この凸部１６は、カートリッジ１０にセットされた眼内レンズ１を折り曲げる際に、その折り曲げを常に載置台の内壁面（載置面）に沿って行うように規制する役目を果たしている。
【００１５】
半割部材１２ａ、１２ｂには互いに嵌め合う嵌合部材１７ａ、１７ｂがそれぞれ設けられる。図示するように、嵌合部材１７ａ、１７ｂは、カバー１５ａ、１５ｂの面から上方にのびた部材であり、嵌合部材１７ａには嵌合部材１７ａ，１７ｂ同士を閉じ合わせるための凹部が、嵌合部材１７ｂには前述の凹部と嵌合するフックが設けられている。半割部材１２ａと１２ｂが閉じられる際に、嵌合部材１７ａと１７ｂが閉じ合わされ、凹部とフックが嵌め合い、半割部材１２ａと１２ｂはヒンジ部１３による半開状態から、閉じた状態へと状態に移される。
【００１６】
図４はハンドピース２０の構成を示す概略図である。図４（ａ）はハンドピース１０の概略構成を示した斜視図、図４（ｂ）は概略断面図である。図示するように、ハンドピース２０は中空の筒である筒部２６を持ち、その先端には、カートリッジ１０を装着するための装着部２０ａが設けられている。また、挿入部１１から眼内レンズ１を押し出すためにハンドピース２０の筒部２６内で軸方向に進退移動可能に設けられた押出手段となる押出棒２５が設けられ、筒部２６の外周には眼内レンズ１の挿入時に術者が指をかける部材となる取手２４が設けられている。
【００１７】
図示するように、装着部２０ａは、ガイド２１、把持部２２、固定部２３により構成される。ガイド２１はハンドピース２０の先端を円周で４分の１程度残した形状をしている。また、ガイド２１上に設けられた固定部２３の両端には、カートリッジ１０を装着した際にウイング１８の基端を固定保持するための固定部２３ａ，２３ｂが形成されている。
【００１８】
挿入部１１の根元部分を把持する把持部２２は、ハンドピース２０の中心軸を取り囲むように、円周の２分の１よりやや長めの円弧からなる略Ｃ字形状にて形成されており、カートリッジ部１０の動きを制限する。また、固定部２３は、ハンドピース２０の中心軸よりも若干上方に位置しており、差し込まれたカートリッジ１０の動きを規制する。また、把持部２２と固定部２３ａとの間は、カートリッジ１０の挿入部１１の根元から半割部材１２ａ、１２ｂの端までの前後方向の幅と略一致しており、カートリッジ１０が把持部２２と収まる構造となっている。また、ガイト２１はカートリッジ１０の半割部材１２ａを保持し、カートリッジ１０の動きを規制する。また、装着部２０ａよりの筒部２６の外周には、後述する付勢部材６０を取り付けるための溝２７が形成されている。溝２７は、Ｃ字状の付勢部材６０の基部と嵌合するように、押出棒２５と直交して形成される。また、溝２７は、後述する付勢部材６０の基部がハンドピース２０の稜線から出ないような深さにて形成される。
【００１９】
装着部２０ａにカートリッジ１０を取り付ける際には、ガイド２１に半割部材１２ａの底面が当接する。そして、半割部材１２ａは円形状をしているため、ガイド２１に密着固定される。ガイド２１の円周は、筒部２６の円周に対し、４分の１程度である。このため、ガイド２１は半割部材１２ａをハンドピース２０に固定するのみで、半割部材１２ｂを固定はしない。よって、半割部材１２ａ，１２ｂを閉じ合わせる方向の力が生じない。従って、カートリッジ１０にハンドピース２０が装着されても、カートリッジ１０の半開状態は維持される。
【００２０】
図５は、ハンドピース２０に取り付けられる付勢部材６０の構成を説明する図である。図５（ａ）は、付勢部材６０の斜視図、図５（ｂ）は、付勢部材６０の側面図を示す。付勢部材６０は、前述の溝２７に嵌合するＣ字状の基部６１と、基部６１に一端を固定され、ハンドピース２０に付勢部材６０が固定された際に半割部材１２ａに当接するために延びた棒状の当接部６２から構成される。
【００２１】
なお、付勢部材６０は、前述のハンドピース２０と同様に、樹脂にて成型される。また、当接部６２は、基部６１の接合部６３を基端として、図５（ｂ）の矢印に示されるように撓（しな）る構成とされる。また、付勢部材６０がハンドピース２０に取り付けられた状態において、当接部６２は開状態にある半割部材１２ｂの外壁に当接し、これを閉じさせる方向に付勢するための形状、肉厚を有する。より具体的には、付勢部材６０がハンドピース２０に取り付けられた状態において、当接面６２ａが開状態にある半割部材１２ｂの外壁面よりも内側（内部）に位置するように当接部６２の形状、肉厚が決定されている。このため、開状態にある半割部材１２ｂの外壁に当接部６２が当接した状態では、当接部６２が若干撓った状態で維持されるため、この撓りの復元力が半割部材１２ｂを閉じさせる方向への付勢力となる。なお、当接部６２は、好ましくはヒンジ部１３近くの半割部材１２ｂの外壁に当接するように位置される。ヒンジ部１３近くであれば半割部材１２ｂの開き具合に応じた外壁の移動量が少ないためである。
【００２２】
なお、本実施形態では付勢部材はＣ字状の基部と当接部からなるものとしているが、これに限るものではなく、２つの半割部材を開閉することによって眼内レンズを折り曲げる機構に対して少なくとも一方の半割部材に当接し、閉じる方向への付勢力を常に有するような構成であればよい。例えば、付勢部材を別部品とせずインジェクタ本体に一体的に形成することもできる。
【００２３】
図６は、ホルダ３０に固定されたインジェクタ５０に付勢部材６０を取り付けた状態を説明する図である。図６（ａ）は上面図であり、図６（ｂ）は側面図である。図示されるように、ハンドピース２０の溝２７に取り付けられた基部６１から、挿入部１１に方向に当接部６２が延びている。当接部６１は、ハンドピース２０に取り付けられたカートリッジ１０の半割部材１２ｂの外壁に若干撓った状態で当接している。なお、眼内レンズ１を保持（保管）する保持台３４は、２つの半割部材１２ａ，１２ｂが半開した状態で形成される開口（隙間）から内部領域に挿入されており、半割部材１２ａ，１２ｂによって形成される内部領域内に眼内レンズ１を置き（位置させ）、保持台３４が持つ横幅に合わせた状態で半割部材１２ａ及び半割部材１２ｂを半開させる。
【００２４】
次に、付勢部材６０の役割を説明する。図７は、カートリッジ１０部分の断面図である。図７（ａ）は、図６のＡ−Ａ方向の断面図であり、図７（ｂ）は、図７（ａ）の状態から保持台３４を取り外した状態（ホルダ３０からインジェクタ５０を外した状態）を示す断面図である。
【００２５】
前述したように保持台３４の横幅は、光学部２の径よりも短くされており、載置された光学部２の一部が窪み３５から、横方向にせり出すようになっている。保持台３４の横幅は、付勢された半割部材１２ａ、１２ｂの閉じ合わせを規制（制限）すると共に，閉じ合わせの規制によって、内部領域に置かれる眼内レンズ１を半割部材１２ａ，１２ｂの内壁（載置台１４ａ、１４ｂ）に当接させず、眼内レンズ１に応力を掛けない状態で維持させる横幅とされる。
【００２６】
また、保持台３４の高さは、その上部に位置する載置台１４ａ，１４ｂが窪み３５に置かれている眼内レンズ１の上方への抜けを規制するだけの距離（間隔）を持つように設定されている。
【００２７】
このように、保持台３４の窪み３５に置かれている眼内レンズ１は、カートリッジ１０に覆われる（眼内レンズ１の光学部２が、載置部１２の内壁に接触しない状態で、載置部１２内に形成される中空部分に位置する）。このような構成により、眼内レンズ１とインジェクタ５０が保護される。
【００２８】
図７（ａ）の状態で、付勢部材６０（当接部６２）は、常に、半割部材１２ａ、１２ｂを閉じ合わせる方向に付勢している。この状態で、矢印Ｄに示されるように、図の上方にインジェクタ５０をホルダ３０から取り外すと、半割部材１２ｂの閉じ合う方向への移動を規制していた保持台３４がなくなるため、半割部材１２ｂは、当接部６２の付勢を受けて、閉じようとする。このとき、半割部材１２ａ、１２ｂの間隔が狭まることとなる。
【００２９】
このとき、半割部材１２ａ、１２ｂが閉じ合わされる方向（矢印Ｃ方向）へと外力を受けるため、状態が図７（ａ）から図７（ｂ）へと移り、眼内レンズ１が半割部材１２ａ、１２ｂの内壁に当接され、応力が掛けられた状態で挟持されることとなる。このようにして、ホルダ３０からインジェクタ５０を取り外す動作において、眼内レンズ１が載置部１２に引っ掛かると共に、付勢力を受けた半割部材１２ａ、１２ｂの閉じ合わせにより、眼内レンズ１がカートリッジ１０内に保持される。これにより、インジェクタ５０をホルダ３０から取り外した際に、眼内レンズ１がカートリッジ１０から脱落しにくくなる。また、インジェクタが保管、運搬されている状態から使用可能とするまでの間に眼内レンズの意図しない挙動を抑制でき、好適にインジェクタを取り扱うことができる。
【００３０】
なお、詳細な説明は略すが、眼内レンズ１をインジェクタより送出する場合は、図７（ｂ）の状態から、半割部材１２ａ、１２ｂを操作者が手で閉じ合わせ、前述の嵌合部材１７ａ、１７ｂを嵌め合わせることにより、半割部材１２ａ、１２ｂを閉じ合わせる。このとき、載置台１４ａ、１４ｂの壁面（内壁）に沿って眼内レンズ１が折り曲げられる。この後、押出棒２５を軸方向に押すことにより、折り畳まれた眼内レンズ１が挿入部１１から送出される。
【００３１】
なお、以上説明した本実施形態では、付勢部材をハンドピースに取り付ける構成としたが、これに限るものではない。カートリッジ１０に取り付けられる構成としてもよい。例えば、半割部材１２ａ、１２ｂを覆うように、Ｃ字状に形成され、弾性を持った部材をカートリッジ１０に嵌めてもよい。
【００３２】
なお、以上説明した本実施形態では、ホルダはハンドピースを固定し、インジェクタ全体を固定保持する構成としたが、これに限るものではない。ホルダは、前述の付勢部材を備えたインジェクタの少なくとも一部を固定保持する構成であればよい。具体的には、本実施形態のインジェクタ５０において、カートリッジ１０の載置台１４に置くものとし、載置台１４に置かれる眼内レンズ（内部領域内に置かれた眼内レンズ）の動きを規制するために、カートリッジ１０の開口から、カートリッジ１０内の内部領域に挿入される規制部材を備え、インジェクタ５０の先端側（カートリッジ１０周辺）に取り付けられるホルダを用いる構成が挙げられる。この規制部材は、前述の実施形態と同様に、半割部材１２ａ、１２ｂが閉じ合うことを規制し、カートリッジ１０内の眼内レンズに応力が掛けられないようにする程度の幅で、眼内レンズが載置台１４に置かれる程度（光学部が載置台１４に当接する程度）の幅を持つ。例えば、眼内レンズの前後方向にそれぞれ挿入される２本の柱状部材（前述の実施形態と同様の幅を持つ部材）をホルダに設け、眼内レンズに応力を掛けない状態で維持させる。このとき、付勢部材６０によりカートリッジ１０は閉じ合う方向に付勢されているので、ホルダの取り外し動作においても、前述と同様にカートリッジ１０が閉じ合う方向に力を受け、カートリッジ１０内に置かれた眼内レンズに応力が掛けられる。これにより、インジェクタ５０が保管、運搬されている状態から使用可能とするまでの間に眼内レンズの意図しない挙動を抑制でき、好適にインジェクタ５０を取り扱うことができる。
【図面の簡単な説明】
【００３３】
【図１】本実施形態に係る眼内レンズ挿入システム１００とホルダ３０の外観概略図である。
【図２】カートリッジに載置される眼内レンズ１の構成を説明するための概略構成図である。
【図３】本実施形態のレンズ変形部であるカートリッジ１０の概略構成を示す斜視図である。
【図４】ハンドピース２０の構成を示す概略図である。
【図５】付勢部材６０を説明する図である。
【図６】眼内レンズ挿入システム１００のカートリッジ１０周辺図である。
【図７】眼内レンズ挿入システム１００の断面図である。
【００３４】
１  眼内レンズ
２  光学部
１０  カートリッジ
１２  載置部
１２ａ、１２ｂ  半割部材
１３  ヒンジ部
１４ａ、１４ｂ  載置台
２０  挿入器具本体
２５  押出棒
２６  筒部
３０  ホルダ
５０  インジェクタ
６０  付勢部材
１００  眼内レンズ挿入システム
【図１】
0005122259.tif 000002
【図２】
0005122259.tif 000003
【図３】
0005122259.tif 000004
【図４】
0005122259.tif 000005
【図５】
0005122259.tif 000006
【図６】
0005122259.tif 000007
【図７】
0005122259.tif 000008